(57)【要約】【課題】誰が読み取りを行った画像かを容易に判別できるようにする。【解決手段】原稿をスキャナにセットして、ユーザＰＣからスキャナドライバの画面を開く（Ｓ１０１）。読み取り条件と読み取ったユーザを判別するためのユーザ名を入力して読み取りを開始する（Ｓ１０２）。ユーザはスキャナの読み取り条件を設定するときに同時に自分のユーザ名を入力して読み取りを行う。ユーザ名の入力がない場合には判別ができなくなるためエラー表示などをして入力されるまで読み取りを開始できないようにする（Ｓ１０２，Ｓ１０３）。読み取りが正常に行われた場合（Ｓ１０５，Ｓ１０６）、スキャナ装置からユーザＰＣ側のスキャナドライバに画像が送信されるとドライバ上で入力されたユーザ名をこの画像に合成して（ステップＳ１０７）、画面上に表示したりファイルに保存したりする（ステップＳ１０８）。【選択図】図２
2007235743.tif 000002
【特許請求の範囲】
【請求項１】
読み取り手段と、当該読み取り手段を制御する読み取り制御手段を有し、前記読み取り手段が接続される情報処理端末とからなり、前記読み取り手段によって原稿を読み取る画像読み取り装置において、
前記読み取り手段は読み取った画像の画像データを前記情報処理端末に送信し、
前記情報処理端末は表示手段に表示する前に前記読み取り制御手段上で予めユーザが設定したユーザ名を読み取った画像に合成し、前記表示手段に転送することを特徴とする画像読み取り装置。
【請求項２】
前記読み取り制御手段は、予め登録されたユーザのみが前記読み取り手段の使用を可能とし、前記原稿を読み取った後、前記読み取り手段を使用したユーザ名を読み取った画像に合成することを特徴とする請求項１記載の画像読み取り装置。
【請求項３】
前記読み取り制御手段は、前記ユーザ名の合成を読み取った画像の予めユーザが設定した位置及び／又は大きさに合成することを特徴とする請求項１記載の画像読み取り装置。
【請求項４】
前記読み取り制御手段は、前記合成の前に合成対象となる原稿画像をプレビューし、当該プレビュー画面上で選択された位置に前記ユーザ名を合成することを特徴とする請求項２又は３記載の画像読み取り装置。
【請求項５】
前記ユーザ名に加え、読み取った日時を合成することを特徴とする請求項１ないし４のいずれか１項に記載の画像読み取り装置。
【請求項６】
前記ユーザ名が、前記ユーザが情報処理端末にログインする際に使用するログインユーザ名であることを特徴とする請求項１ないし５のいずれか１項に記載の画像読み取り装置。
【請求項７】
前記ログインユーザ名は、前記ユーザが情報処理端末にログインする際に使用するユーザ名をＯＳから取得したものであることを特徴とする請求項６記載の画像読み取り装置。
【請求項８】
前記読み取り制御手段は、ユーザが使用するユーザ名、ログイン名、ＰＣ名の少なくとも１つを含む合成する必要がある文字列を収集して前記読み取り手段に読み取り設定値と共に送信し、
前記読み取り手段は受信した前記読み取り設定値の条件に基づいて原稿画像を読み取って合成処理を行い前記読み取り制御手段に合成した画像を送信することを特徴とする請求項１ないし７のいずれか１項に記載の画像読み取り装置。
【請求項９】
前記文字列は読み取った原稿画像と原稿の両者に印字されることを特徴とする請求項８記載の画像読み取り装置。
【請求項１０】
主走査方向、副走査方向の自由な位置にエンドーサを打つ手段を備え、前記文字列は前記エンドーサの印字位置と同じ位置、大きさ及び向き印字されることを特徴とする請求項９記載の画像読み取り装置。
【請求項１１】
前記読み取り制御手段が情報処理端末にロードされたスキャナドライバからなることを特徴とする請求項１ないし１０のいずれか１項に記載の画像読み取り装置。
【請求項１２】
コンピュータにロードされ、読み取り制御手段を有するコンピュータによって実行されるコンピュータプログラムにおいて、
読み取り条件を設定する第１の手順と、
ユーザ名を入力する第２の手順と、
ユーザ名が入力されているときにのみ読み取り手段に原稿の読み取りを開始させる第３の手順と、
読み取り手段から転送されてきた原稿の読み取り画像に前記第２の手順で入力されたユーザ名を合成する第４の手順と、
第４の手順で合成された画像を表示させる第５の手順と、
を備えていることを特徴とするコンピュータプログラム。
【請求項１３】
コンピュータにロードされ、読み取り制御手段を有するコンピュータによって実行されるコンピュータプログラムにおいて、
ユーザ名を入力する第１の手順と、
読み取り条件を設定する第２の手順と、
読み取り手段に原稿の読み取りを開始させる第３の手順と、
読み取り手段から転送されてきた原稿の読み取り画像に前記第２の手順で入力されたユーザ名を合成する第４の手順と、
第４の手順で合成された画像を表示させる第５の手順と、
を備えていることを特徴とするコンピュータプログラム。
【請求項１４】
前記読み取り手段から転送されてきた原稿の読み取り画像データを保存する第５の手順をさらに備えていることを特徴とする請求項１２又は１３記載のコンピュータプログラム。
【発明の詳細な説明】
【技術分野】
【０００１】
本発明は誰が原稿を読み取ったかを判別することができる画像読み取り装置及びこの画像読み取り装置で実行されるコンピュータプログラムに関する。
【背景技術】
【０００２】
スキャナを用いてユーザが原稿を読み取って画像ファイル化する場合、ファイルの作成時間でファイルが作られた日時は知る手段があるが、誰が読み取りを行ったかを知る手段はない。そこで、例えば特許文献１には、原稿の表裏のいずれの面に対しても原稿の読み込み確認用の記号や文字列の印字を選択的に行えるようにした発明が開示されている。この発明では、印字手段を原稿の表面に印字可能な位置と裏面に印字可能な位置とに取り外し可能に固定保持する固定手段を原稿の搬送路を挟んで両側にそれぞれ設けたものである。
【特許文献１】特開平５−１４５７１４号公報
【発明の開示】
【発明が解決しようとする課題】
【０００３】
ところで、昨今では読み取った画像データをＰＣ上やサーバ上にファイルとして保存することが多い。一方、特許文献１記載の発明では、原稿に印字することからファイルとして区別することはできない。しかし、前者のようにファイルとして保存する場合においても、特に多数のユーザが使用するＰＣやサーバ上にファイルを保存する場合には、誰が読み取り行ったかを判別することが難しくなる。
【０００４】
本発明は、このような背景に鑑みてなされたもので、解決すべき課題は、誰が読み取りを行った画像かを容易に判別できるようにすることにある。
【課題を解決するための手段】
【０００５】
前記課題を解決するために第１の手段は、読み取り手段と、読み取り制御手段を有し、前記読み取り手段が接続される情報処理端末とからなり、前記読み取り手段によって原稿を読み取る画像読み取り装置において、前記読み取り手段は読み取った画像を情報処理端末に送信し、前記情報処理端末は表示手段に表示する前に前記読み取り制御手段上で予めユーザが設定したユーザ名を読み取った画像に合成し、前記表示手段に転送することを特徴とする。
【０００６】
第２の手段は、第１の手段において、前記読み取り制御手段が予め登録されたユーザのみの前記読み取り手段の使用を可能とし、前記原稿を読み取った後、前記読み取り手段を使用したユーザ名を読み取った画像に合成することを特徴とする。
【０００７】
第３の手段は、第１の手段において、前記読み取り制御手段が前記ユーザ名の合成を読み取った画像の予めユーザが設定した位置及び／又は大きさに合成することを特徴とする。
【０００８】
第４の手段は、第２又は第３の手段において、前記読み取り制御手段が前記合成の前に合成対象となる原稿画像をプレビューし、当該プレビュー画面上で選択された位置に前記ユーザ名を合成することを特徴とする。
【０００９】
第５の手段は、第１ないし第４のいずれかの手段において、前記ユーザ名に加え、読み取った日時を合成することを特徴とする。
【００１０】
第６の手段は、第１ないし第５のいずれかの手段において、前記ユーザ名が、前記ユーザが情報処理端末にログインする際に使用するログインユーザ名であることを特徴とする。
【００１１】
第７の手段は、第６の手段において、前記ログインユーザ名が前記ユーザの情報処理端末へのログインの際に使用するユーザ名をＯＳから取得したものであることを特徴とする。
【００１２】
第８の手段は、第１ないし第７のいずれかの手段において、前記読み取り制御手段はユーザが使用するユーザ名、ログイン名、ＰＣ名の少なくとも１つを含む合成する必要がある文字列を収集して前記読み取り手段に読み取り設定値と共に送信し、前記読み取り手段は受信した前記読み取り設定値の条件に基づいて原稿画像を読み取って合成処理を行い前記読み取り制御手段に合成した画像を送信することを特徴とする。
【００１３】
第９の手段は、第８の手段において、読み取った原稿画像と原稿の両者に前記文字列が印字されることを特徴とする。
【００１４】
第１０の手段は、第９の手段において、主走査方向、副走査方向の自由な位置にエンドーサを打つ手段を備え、前記文字列は前記エンドーサの印字位置と同じ位置、大きさ及び向き印字されることを特徴とする。
【００１５】
第１１の手段は、第１ないし第１０のいずれかの手段において、前記読み取り制御手段が情報処理端末にロードされたスキャナドライバからなることを特徴とする。
【００１６】
第１２の手段は、コンピュータにロードされ、読み取り制御手段を有するコンピュータによって実行されるコンピュータプログラムにおいて、読み取り条件を設定する第１の手順と、ユーザ名を入力する第２の手順と、ユーザ名が入力されているときにのみ読み取り手段に原稿の読み取りを開始させる第３の手順と、読み取り手段から転送されてきた原稿の読み取り画像に前記第２の手順で入力されたユーザ名を合成する第４の手順と、第４の手順で合成された画像を表示させる第５の手順とを備えていることを特徴とする。
【００１７】
第１３の手段は、コンピュータにロードされ、読み取り制御手段を有するコンピュータによって実行されるコンピュータプログラムにおいて、ユーザ名を入力する第１の手順と、読み取り条件を設定する第２の手順と、読み取り手段に原稿の読み取りを開始させる第３の手順と、読み取り手段から転送されてきた原稿の読み取り画像に前記第１の手順で入力されたユーザ名を合成する第４の手順と、第４の手順で合成された画像を表示させる第５の手順とを備えていることを特徴とする。
【００１８】
第１４の手段は、第１２又は第１３の手段において、前記読み取り手段から転送されてきた原稿の読み取り画像データを保存する第５の手順をさらに備えていることを特徴とする。
【００１９】
なお、後述の実施形態では、読み取り手段はスキャナ装置１に、読み取り制御手段はスキャナドライバ１ａに、情報処理端末はユーザＰＣ２に、表示手段は表示装置２ａに、それぞれ対応する。
【発明の効果】
【００２０】
本発明によれば、読み取り手段は読み取った画像を情報処理端末に送信し、情報処理端末は表示手段に表示する前に読み取り制御手段上で予めユーザが設定したユーザ名を読み取った画像に合成し、表示手段に転送するので、誰が読み取りを行った画像かを合成され表示された画像のユーザ名から容易に判別することができる。
【発明を実施するための最良の形態】
【００２１】
以下、図面を参照し、本発明の実施形態について説明する。
【実施例１】
【００２２】
図１は本発明の実施形態における実施例１に係る画像読み取りシステムのシステム構成を示す図である。図１において、このシステムは、読み取り手段としての単体のスキャナ装置１、このスキャナ装置１に接続された情報処理端末としてのユーザＰＣ（パーソナルコンピュータ）２、及びユーザＰＣ２と接続されたデジタル複合機３から構成され、必要に応じてサーバ４にユーザＰＣ２が接続される。通常は、これらの複合機３やスキャナ装置１の原稿読み取り部に原稿を置き、ユーザがＰＣ２から画像を読み取るとユーザＰＣ２の表示装置２ａ上に原稿と同じように読み取られた画像が表示される。読み取った画像（表示された画像）は必要に応じてファイルに保存される。
【００２３】
この場合、この読み取った画像にはファイルの作成時間から画像が読み取られた日時を知ることはできるが、誰が読み取った画像かを知ることができない。図１のようにサーバ４がネットワーク５上に配置され、各ユーザがサーバ４に読み取った画像を保存し、あるいは、スキャナ装置１の接続されているＰＣ２が複数の人が共有して使用するＰＣだった場合などには特に判別が付かないことになる。
【００２４】
そこでユーザがスキャナ機能を持つ複合機やスキャナから原稿を読み取った場合、その読み取った人を判別するために装置から読み取った画像をユーザＰＣ上のスキャナドライバで画像を表示し、あるいは、ファイルに保存する前の段階で、予めユーザが設定しているユーザ名を読み取った画像に埋め込む。このときの処理手順を図２のフローチャートに示す。この処理手順は、スキャナ装置１で読み取った画像をユーザＰＣ２に送信し、アプリケーションに表示する前にＰＣドライバ上で予めユーザが設定したユーザ名を読み取った画像に合成してアプリケーションに渡すものである。
【００２５】
すなわち、まず、ユーザは読み取りたい原稿をスキャナにセットして、ユーザＰＣ２からスキャナドライバ１ａの画面を開く（ステップＳ１０１）。読み取り条件と読み取ったユーザを判別するためのユーザ名を入力して読み取りを開始する（ステップＳ１０２）。ユーザはスキャナドライバ上１ａで読み取り条件を設定するときに同時に自分のユーザ名を入力し、スキャナ装置１から読み取りを行う。ユーザ名の入力がない場合には判別ができなくなるためエラー表示などをして入力されるまで読み取りを開始できないようにする（ステップＳ１０２，Ｓ１０３）。読み取りが正常に行われた場合（ステップＳ１０５，Ｓ１０６）、スキャナ装置１からユーザＰＣ２側のスキャナドライバ１ａに画像が送信されるとスキャナドライバ上で入力されたユーザ名をこの画像に合成して（ステップＳ１０７）、画面上に表示したりファイルに保存したりする（ステップＳ１０８）。この動作を最後の原稿まで繰り返し（ステップＳ１０９）、原稿がなくなった時点で処理を終える（ステップＳ１１０）。
【００２６】
図３はユーザＰＣ２の表示装置２ａ上の設定画面２ｂの一例を示す図である。読み取りサイズや解像度や色階調などの基本的な読み取り条件の他にユーザが判別できるように入力するユーザ名の項目２ｃが設けられている。この項目２ｃにユーザ固有のユーザ名を入力すると（ステップＳ１０２）、読み取った画像に合成される。
【００２７】
図４は図２のフローチャートの処理結果を示す図で、オリジナル原稿６ａが図４（ａ）のような場合、この原稿を読み取った結果６ｂは図４（ｂ）のようになり、原稿に対してユーザ名６ｃが合成されて出力される。
【００２８】
このようにスキャナを用いてユーザが原稿を読み取ってファイル化する場合、ファイルの作成時間で読み取った日時を知る手段はあるが、誰が読み取りを行ったかを知る手段はない。しかし、本実施例では、読み取った画像にユーザ名を予め入力したユーザ名を合成するので、その画像を開くと読み取ったユーザのユーザ名が入った画像ファイルとして確認することができる。
【実施例２】
【００２９】
実施例１では、ユーザ名を入力せずにスキャナを使用しようとしたり、使用者が判別できないようなユーザ名で使用することも可能となってしまう。そこで、実施例２ではスキャナドライバを使用する際に予めユーザ登録をしておき、その登録したユーザのみがスキャナを使用することができ、読み取り後にユーザ名を読み取った画像に合成するようにしたものある。このため本実施例では、予めユーザ登録したユーザがスキャナドライバを使用する際にユーザ名とパスワードの入力を行うと使用が許可されるようにした。その他の各部は、前述の第１実施例と同様なので重複する説明は省略する。
【００３０】
図５はこの実施例２の処理手順を示すフローチャートである。同図において、ユーザは最初に登録したユーザ名とパスワードを入力し（ステップＳ２０１）登録されたユーザか否かが判断され、登録ユーザだった場合、表示装置２ａの表示が行われ（ステップＳ２０２）スキャナの読み取り条件設定に進むことができる（ステップＳ２０３）。読み取り条件設定を行った後、読み取りを行うと（ステップＳ２０４，Ｓ２０４）、スキャナ装置１から画像がスキャナドライバに転送される。スキャナドライバでは先ほどユーザが入力したユーザ名を読み取った画像に合成して（ステップＳ２０６）アプリケーションで表示したり、ファイルに保存したりすることができる（ステップＳ２０７）。この動作を最後の原稿まで繰り返し（ステップＳ２０８）、原稿がなくなった時点で処理を終える（ステップＳ２０９）。
【００３１】
図６は実施例２におけるユーザ名入力の画面例である。このようなユーザ名とパスワードを入力する画面２ｄから、使用するユーザは登録したユーザ名とパスワードを入力し、登録ユーザだった場合には読み取り条件を設定する画面２ｅに進むことができる。出力結果は、第１実施例と同様に元の原稿６ａに対して登録したユーザ名６ｃが決まった位置に合成された画像６ｂとして出力される。
【００３２】
その他、特に説明しない各部は前述の第１の実施例と同等に構成され、同等に機能する。
【００３３】
本実施例によれば、事前に登録したユーザ名を入力しないとスキャナが使用できないようにしたので、必ずユーザ名が画像に残るようになり、このスキャナを使用する限り誰が読み取ったかわからない画像がＰＣ上やサーバ上に残ることがなくなる。
【実施例３】
【００３４】
実施例１及び２では、決まった場所にユーザ名を合成する場合、読み取る原稿によってはユーザ名を合成する場所に何かが書かれている場合がある。また、予め原稿に読み取ったユーザ名を入力可能な原稿だった場合、画像に合成したユーザ名と重なってしまう可能性がある。そこでこれらの場合には、読み取り後に合成するユーザ名を読み取った画像の予めユーザが設定した任意の位置、大きさに合成できればよい。
【００３５】
図７はユーザ名を入力する欄のある原稿の例である。このような原稿を読み取り、入力欄の位置を合わせることにより読み取った画像に読み取ったユーザ名を適切な場所に合成することができる。図８は読み取り設定と文字列合成場所を指定する設定画面の例を示す図である。この実施例では、図３の設定画面２ｂにおいてユーザ名の入力項目に加えて位置と大きさを入力する項目を追加している（符号２ｆ）。
【００３６】
このように設定画面２ｂから合成する文字列の場所や大きさを指定しておくができるようにするだけで適切な場所に文字列が合成される。
【００３７】
その他、特に説明しない各部は前述の実施例１と同等に構成され、同等に機能する。
【００３８】
ユーザが読み取る原稿は多様であり、時には原稿の端までいろいろと書かれた原稿も存在する。その際に固定された位置にユーザ名が合成されてしまうと原稿と重なってしまうこともあり得るが、本実施例では、予め合成する文字の位置やサイズを変更できるようにしたので、合成した文字が重なるのを防ぐことができる。
【実施例４】
【００３９】
実施例３では、ユーザ名の合成位置を座標値で入力し、また、文字の大きさを指定することができるようにしているが、実際の画像との関係で、単なる数値入力では適切な位置かどうかを判断することができない場合がある。そこで、本実施例では、任意の場所にユーザ名等を合成したい場合に容易に場所を指定することができるようにしたものである。
【００４０】
この実施例では、一度原稿を読み取ってプレビューを表示し、ユーザはそのプレビューを見ながら文字の合成位置を決定する。図９は本実施例におけるプレビュー画面の一例を示す図である。このように原稿のプレビュー２ｇを見ながらユーザ名を合成したい場所２ｈを選ぶことにより原稿画像２ｉと合成する文字が重ならないような場所を設定することができる。
【００４１】
その他、特に説明しない各部は前述の実施例１と同等に構成され、同等に機能する。
【００４２】
ユーザが合成する場所を指定する場合、原稿のサイズを測って合成する文字の位置を割り出す必要がある。しかし、本実施例では、一度プレスキャンを行い、プレビューを表示するようにしているので、その原稿のイメージを見ながらユーザ名を合成する場所を選択することが可能となる。
【実施例５】
【００４３】
通常スキャナ装置１から画像を読み取った場合、ファイルの作成時間を見ればだいたい画像を読み取った時間と考えることができるが、画像を表示した状態で確認できない。また、読み取りを行ってもファイルに保存されない限りファイルの作成時間に残ることはない。そこで、本実施例ではユーザ名と同時に読み取りを行った日時を画像上に同時に合成することにより、読み取ったユーザと日時を同時に確認することができるようにした。図１０は本実施例におけるオリジナル原稿６ａとスキャン画像６ｂを対比して示す図で、実施例１におけるユーザ名に読み取り日時が合成された画像６ｄが出力される。
【００４４】
その他、特に説明しない各部は前述の実施例１と同等に構成され、同等に機能する。
【００４５】
スキャナを使用して原稿を読み取った場合それをファイルかした場合にはそのファイルの作成日時は残るが、画像の読み取り日時を知ることはできない。しかし、本実施例では、ユーザ名と主に読み取った日時をも画像に合成するようにしたので、誰がいつ画像を読み取ったかという情報も保存することができる。
【実施例６】
【００４６】
実施例１ないし５では、ユーザが自分でユーザ名を入力し、あるいはユーザ登録したユーザ名を入力してスキャナドライバを使用する。しかし、この目的はどのユーザが画像を読み取ったかを判別するためであって、セキュリティの代わりになるものではない。そのため読み取ったユーザを判別できればよいので各ＰＣにユーザがそれぞれのユーザ名でＯＳにログオンしているのを利用して同様の判別を行うようにしたのがこの実施例６である。そこで、この実施例では、読み取った原稿にユーザ名の代わりにＯＳへのログオン名を合成することにより判別することができるようにした。これによりユーザはユーザ名の入力を省くことができる。
【００４７】
図１１はこのような動作を行う実施例６におけるスキャナ、ＯＳ、スキャナドライバ及びスキャナハード間の処理手順を示すフローチャートである。同図において、ＰＣのＯＳにログオンした（ステップＳ３０１，Ｓ３０２）ユーザがアプリケーションからスキャナドライバ１ａを起動する（ステップＳ３０３，Ｓ３０４）。読み取り条件を指定してスキャナ装置１で読み取りを行う（ステップＳ３０５）と、スキャナ装置１から読み取った画像がスキャナドライバ１ａに送信されるので、スキャナドライバ１ａはＯＳから現在のユーザ名を取得して（ステップＳ３０６）、この原稿に合成して出力する（ステップＳ３０７，Ｓ３０８）。このように処理することにより、自動的に原稿を読み取ったユーザ名が画像として出力される。
【００４８】
本実施例では、ユーザが自分でユーザ名を入力したりせずに誰が読み取りを行ったかを判別するようにしている。ユーザ名であると人の特定がしにくい場合もあるが、ＰＣを共有することもなく各ＰＣ一人一台で操作する場合には、そのＰＣのコンピュータ名を使用することにより、誰でもどのＰＣから読み取りを行った画像かを判別することが可能になる。そこで、このような場合には、ステップＳ３０６でログオンユーザ名を取得する代わりにコンピュータ名をＯＳから取得し、取得したコンピュータ名を原稿画像に合成して出力すればよい。
【００４９】
その他、特に説明しない各部は前述の実施例１と同等に構成され、同等に機能する。
【００５０】
以上のように、本実施例では、ユーザを判別する方法として、ＰＣのＯＳにログオンするときのユーザ名や、ＰＣ固有のＰＣ名を使用して判別するようにしたので、ユーザがわざわざユーザ名を入力する手間が省くことができる。
【実施例７】
【００５１】
実施例１ないし６では、ユーザ名を読み取った画像への印字する機能はスキャナドライバ１ａが備えていたが、本実施例ではスキャナドライバ１ａ上でユーザ名などの読み取り原稿に合成すべき情報を収集し、それらの情報をスキャナ装置１に読み取り条件と共に送信し、スキャナ装置１で画像を読み取り後にユーザ名などの文字列も合成した後にスキャナドライバ１ａに画像を送信するようにしたものである。図１２は実施例７における処理手順を示すフローチャートである。
【００５２】
同図において、ＰＣ側から表示画面の表示から読み取り条件の設定とユーザ名の入力（ステップＳ４０１，Ｓ４０２）を行い、読み取りが開始され（ステップＳ４０３）、ユーザ名の入力が確認されると（ステップＳ４０４）、スキャナ装置１側で読み取りが行われる（ステップＳ４０５）。原稿画像の読み取りが正常に終了すると（ステップＳ４０６）、スキャナ装置１側でユーザ名の合成が行われる（ステップＳ４０７）。そして、合成された読み取り画像をＰＣドライバ側に送信し、ＰＣドライバ側では、送信されてきた画像を表示し、あるいは保存する（ステップＳ４０８）。この動作を最終原稿まで繰り返し（ステップＳ４０９，Ｓ４１０）、読み取った原稿画像全てにユーザ名を合成する。
【００５３】
その他、特に説明しない各部は前述の実施例１と同等に構成され、同等に機能する。
【００５４】
本実施例では、読み取った画像自体は第１実施例と変わらないが、スキャナ装置１１から出力される段階で、すでにユーザ名などの文字列が合成されているため、ネットワーク経路上などで不正に画像を入手した場合でも読み取りを行ったユーザの判別が可能となる。また、スキャナ装置１内で読み取った画像のバックアップを保存しておく機能がある場合でも、読み取った画像自体にユーザ名が合成されているため、後からでもユーザを判別することができる。
【実施例８】
【００５５】
一般的に、スキャナから画像を読み取った際にその原稿を読み取ったことを判別するためにエンドーサ（スタンプ）機能がある。本実施例はこのエンドーサ機能と読み取った画像にユーザ名等を合成する機能を併せ持つようにしたものである。図１３は本実施例８における処理手順を示すフローチャートである。
【００５６】
同図において、ＰＣ側のスキャナドライバで読み取り条件、ユーザ名を指定して（ステップＳ５０１，Ｓ５０２）読み取り実行をすると（ステップＳ５０３）、スキャナドライバからその読み取り条件と入力されたエンドーサに印字したい文字列（ユーザ名）がスキャナ装置１に対して設定される（ステップＳ５０４）。スキャナ装置１は設定された読み取り条件で画像を読み取り（ステップＳ５０５）、正常に読み取った場合には（ステップＳ５０６）、設定されたエンドーサの文字列を原稿に対して印字する（ステップＳ５０７）。読み取りを行った画像はスキャナドライバに送信され、スキャナドライバ上でユーザ名を合成する（ステップＳ５０８）。それによりエンドーサによりユーザ名を印字された原稿とユーザ名を読み取った画像に合成した画像の両方にユーザ名が表示される（ステップＳ５０９）ことになり、どちらを見ても誰が読み取りを行ったかを判別することができる。この処理を最終原稿まで繰り返し（ステップＳ５１０）、全ての原稿に前述の処理が実施されると、処理を終了する（ステップＳ５１１）。
【００５７】
このときのオリジナル原稿６ａ、スキャン画像６ｂ及び読み取り後のオリジナル原稿６ｄとの状態を図１４に示す。この実施例８のように処理すると、スキャナ画像６ｂと読み取り後のオリジナル画像にユーザ名（ここでは、読み取りが実施された日付も合成）が合成されて出力される。したがって、原稿を見ただけで当該原稿を読み取った人を特定することが可能になる。
【００５８】
なお、図１４の例では、ユーザ名６ｃは図の上側に出力されているが、スキャナのエンドーサ機能にはユーザが主走査方向や副走査方向の自由な場所に印字することができる装置も存在する。このように主走査方向と副走査方向に自由にエンドーサを打てるスキャナ装置１では、スキャナが印字する文字の位置、向き、大きさと同じ位置に読み取った画像６ｄにもユーザ名６ｃなどを印字することにより、読み取った後の原稿６ｄと全く同じ状態の読み取り画像６ｂとすることができる。図１５はこのようなオリジナル原稿６ａ、スキャン画像６ｂ及び読み取り後のオリジナル原稿６ｄの関係を示す図である。図１５に示すようにエンドーサの印字方向が主走査方向の場合でも文字の方向を合わせることにより全く同じような画像を作ることができる。これにより元の原稿と読み取った画像の確認もしやすくなる。
【００５９】
その他、特に説明しない各部は前述の実施例１と同等に構成され、同等に機能する。
【００６０】
本実施例によれば、読み取りを行った画像と元の原稿の両方に読み取りを行ったユーザ名や日時などを印字できるため、業務などで連続読み取りを行ったりした際に、後から誰がいつ読み取ったかを原稿でも読み取った画像でも全く同じように確認することができる。
【００６１】
また、原稿の主走査方向、副走査方向の自由な位置にエンドーサ（スタンプ）を印字することが可能なスキャナ装置の場合に、エンドーサを原稿に打つ位置と同じ位置に読み取った画像上でもユーザ名などの文字列を合成し、見た目が同じようにすることができる。そのため元の原稿と読み取った画像の確認もしやすくなる。
【図面の簡単な説明】
【００６２】
【図１】本発明の実施形態における実施例１に係る画像読み取りシステムのシステム構成を示す図である。
【図２】実施例１の処理手順を示すフローチャートである。
【図３】ユーザＰＣの表示装置上の設定画面の一例を示す図である。
【図４】図２のフローチャートの処理結果を示す図である。
【図５】実施例２の処理手順を示すフローチャートである。
【図６】実施例２におけるユーザ名入力の画面例である。
【図７】実施例３におけるユーザ名を入力する欄のある原稿の例である。
【図８】実施例３における読み取り設定と文字列合成場所を指定する設定画面の例を示す図である。
【図９】実施例４におけるプレビュー画面の一例を示す図である。
【図１０】実施例５におけるオリジナル原稿とスキャン画像を対比して示す図である。
【図１１】実施例６におけるスキャナ、ＯＳ、スキャナドライバ及びスキャナハード間の処理手順を示すフローチャートである。
【図１２】実施例７における処理手順を示すフローチャートである。
【図１３】実施例８における処理手順を示すフローチャートである。
【図１４】実施例８における原稿とスキャン画像と読み取り後の原稿の状態を示す図である。
【図１５】実施例８における原稿とスキャン画像と読み取り後の原稿の他の状態を示す図である。
【符号の説明】
【００６３】
１  スキャナ装置
１ａ  スキャナドライバ
２  ユーザＰＣ
２ａ  表示装置
３  複合機
４  サーバ
【図１】
2007235743.tif 000003
【図２】
2007235743.tif 000004
【図３】
2007235743.tif 000005
【図４】
2007235743.tif 000006
【図５】
2007235743.tif 000007
【図６】
2007235743.tif 000008
【図７】
2007235743.tif 000009
【図８】
2007235743.tif 000010
【図９】
2007235743.tif 000011
【図１０】
2007235743.tif 000012
【図１１】
2007235743.tif 000013
【図１２】
2007235743.tif 000014
【図１３】
2007235743.tif 000015
【図１４】
2007235743.tif 000016
【図１５】
2007235743.tif 000017